(57)【要約】【課題】美観を損なうことなく容易に製作でき、また鏡を簡易な作業によって壁面に装着できて据付作業能率を向上する鏡取付装置を得る。【解決手段】ロ字状の枠１２に鏡板１８を嵌合状態に配置し、また左部材１６及び右部材１７に対応して保持部材１９を設ける。また、四隅における保持部材１９と鏡板１８の間に第一種緩衝材２３、第二種緩衝材２５及び第三種緩衝材２６を設けて、枠１２と保持部材１９を第一種締結具２７により締結する。そして、取付部材を第三種締結具によって取付体に締結して、上部材１４及び下部材１５を取付部材に第二種締結具３１によって締結する。これによって、鏡板１８を予め台板等に貼着固定しておく必要がなく、簡易な作業によって鏡１１を製作することができ生産性を向上する。【選択図】　　　　図３
2004113534.tif 000002
【特許請求の範囲】
【請求項１】
横断面Ｌ字形をなし上記Ｌ字の一辺により表面を形成した上部材、下部材、左部材及び右部材がロ字状に組立てられてなる枠と、この枠に嵌合されて上記Ｌ字の一辺の裏面に配置された鏡板と、横断面Ｌ字形をなし上記左部材及び右部材の両者に対応してそれぞれ設けられて上記枠内に配置され、長手が上記両者の長手に沿って配置され上記Ｌ字の一辺が上記両者それぞれのＬ字の他辺に重合し、上記Ｌ字の他辺における長手端の屈折部が上記上部材及び下部材の双者の他辺に重合して配置された保持部材と、上記鏡板の裏面の四隅にそれぞれ設けられて上記鏡板及び保持部材の間に配置された第一種緩衝材と、上記鏡板の四隅にそれぞれ設けられて上記鏡板の端面及び保持部材のＬ字の一辺との間に配置された第二種緩衝材と、上記鏡板の四隅にそれぞれ設けられて上記鏡板の端面及び保持部材の屈折部との間に配置された第三種緩衝材と、上記両者のＬ字の他辺に挿通されて上記保持部材のＬ字の一辺及び上記双者のＬ字の他辺に挿通されて上記保持部材の屈折部にそれぞれねじ込まれた第一種締結具と、横断面Ｌ字形をなし上記上部材及び下部材の双者に対応してそれぞれ設けられて上記枠内に配置され、長手が上記双者の長手に沿って配置され上記Ｌ字の一辺が上記双者それぞれのＬ字の他辺に重合して配置された取付部材と、上記双者それぞれのＬ字の他辺に挿通されて上記取付部材のＬ字の一辺にねじ込まれた第二種締結具と、上記取付部材のＬ字の他辺に挿通されて上記取付部材のＬ字の他辺に対面した取付体にねじ込まれた第三種締結具とを備えた鏡取付装置。
【発明の詳細な説明】
【０００１】
【発明の属する技術分野】
この発明は、エレベーターかご等の壁面に枠付きの鏡を装着する鏡取付装置に関する。
【０００２】
【従来の技術】
図９及び図１０は、例えば特開平１０−５７２１１号公報に示された従来の鏡取付装置を示す図で、図９は鏡取付装置を分解して示す斜視図、図１０は図９の補強フレームの取付状態を示す斜視図である。図において、大形鏡１は両面テープ、スポンジテープ等の接着材２により予め樹脂枠板３の表面に貼着固定される。このような大形鏡１を取付けるために、下側補強フレーム４と、上側補強フレーム５と、上側化粧アングル６と、下側化粧アングル７が用いられる。
【０００３】
また下側補強フレーム４は、横断面がコ字状をなす横長レールからなり長手が水平に配置されて上面側に開口し、壁パネルＰ１，Ｐ２に図１０に示すように固定ねじ８を介して固定される固定立片４ａと、固定立片４ａの下端から水平に前方側へ突出する水平片４ｂと、水平片４ｂの前端側から上方へ立ち上がる外側立片４ｃとが設けられている。
【０００４】
また上側補強フレーム５は、横断面がＬ字状に形成された横長レールからなり固定ねじ８を介して、壁パネルＰ１，Ｐ２の表面に固定される固定片５ａと、固定片５ａ上端から水平に前方側へ突出する水平片５ｂとが一体形成されたものであり、図２に示すように下側補強フレーム４から上方に離れて下側補強フレーム４と平行に装着されている。
【０００５】
従来の鏡取付装置は上記のように構成され、壁パネルＰ１，Ｐ２に装着された下側補強フレーム４及び上側補強フレーム５に、樹脂枠板３の表面に固定された大形鏡１が取付けられる。そして、大形鏡１等の上下縁部を覆って上側化粧アングル６及び下側化粧アングル７を取付けるようになっている。
【０００６】
【発明が解決しようとする課題】
上記のような従来の鏡取付装置では、大形鏡１を予め樹脂枠板３に貼着固定しておく必要があり接着材２を使用しなければならず煩雑な手数が掛かるという問題点があった。また、大形鏡１等の上下縁部が上側化粧アングル６及び下側化粧アングル７によって覆われるものの左右の縁部は大形鏡１の端面が露出して美観が損なわれるという問題点があった。
【０００７】
この発明は、かかる問題点を解消するためになされたものであり、美観を損なうことなく容易に製作でき、鏡を壁面に簡易な作業によって装着できる鏡取付装置を得ることを目的とする。
【０００８】
【課題を解決するための手段】
この発明に係る鏡取付装置においては、横断面Ｌ字形をなしＬ字の一辺により表面を形成した上部材、下部材、左部材及び右部材がロ字状に組立てられてなる枠と、この枠に嵌合されて枠のＬ字の一辺の裏面に配置された鏡板と、横断面Ｌ字形をなし左部材及び右部材の両者に対応してそれぞれ設けられて枠内に配置され、長手が上記両者の長手に沿って配置されＬ字の一辺が上記両者それぞれのＬ字の他辺に重合し、Ｌ字の他辺における長手端の屈折部が上部材及び下部材の双者の他辺に重合して配置された保持部材と、鏡板の裏面の四隅にそれぞれ設けられて鏡板及び保持部材の間に配置された第一種緩衝材と、鏡板の四隅にそれぞれ設けられて鏡板の端面及び保持部材のＬ字の一辺との間に配置された第二種緩衝材と、鏡板の四隅にそれぞれ設けられて鏡板の端面及び保持部材の屈折部との間に配置された第三種緩衝材と、上記両者のＬ字の他辺に挿通されて保持部材のＬ字の一辺及び上記双者のＬ字の他辺に挿通されて保持部材の屈折部にそれぞれねじ込まれた第一種締結具と、横断面Ｌ字形をなし上記双者に対応してそれぞれ設けられて枠内に配置され、長手が上記双者の長手に沿って配置されＬ字の一辺が上記双者それぞれのＬ字の他辺に重合して配置された取付部材と、上記双者それぞれのＬ字の他辺に挿通されて取付部材のＬ字の一辺にねじ込まれた第二種締結具と、取付部材のＬ字の他辺に挿通されて取付部材のＬ字の他辺に対面した取付体にねじ込まれた第三種締結具とが設けられる。
【０００９】
【発明の実施の形態】
実施の形態１．
図１〜図８は、この発明の実施の形態の一例を示す図で、図１はエレベーターかごの横断平面を概念的に示す図、図２は図１のかごにおける奥側壁面の立面図、図３は図２の鏡の拡大図、図４は図３のＡ−Ａ線断面拡大図、図５は図３のＢ−Ｂ線断面拡大図、図６は図２の取付部材箇所を示す図、図７は図１の鏡の取付作業状況を示す図２の縦断側面図、図８は図２の縦断側面図である。
【００１０】
図において、９はエレベーターのかご、１０はかご９の壁板からなる取付体、１１は鏡であり次に述べる部材によって構成されている。すなわち、１２は枠で、それぞれ横断面Ｌ字形をなしＬ字の一辺１３により表面を形成した上部材１４、下部材１５、左部材１６及び右部材１７がロ字状に組立てられて形成されている。１８は鏡板で、枠１２の裏面側に嵌合されて枠１２の構成部材のＬ字の一辺１３の裏面に配置されている。
【００１１】
１９は保持部材で、横断面Ｌ字形をなし左部材１６及び右部材１７の両者に対応してそれぞれ設けられて枠１２内に配置され、長手が上記両者の長手に沿って配置され、Ｌ字の一辺２０が上記両者それぞれのＬ字の他辺２１に重合して配置され、また長手端部に上部材１４及び下部材１５の双者のＬ字の他辺２１と重合する屈折部２２が設けられている。２３は第一種緩衝材で、板状材からなり鏡板１８の裏面の四隅にそれぞれ設けられて鏡板１８及び保持部材１９のＬ字の他辺２４の間に配置されている。
【００１２】
２５は第二種緩衝材で、鏡板１８の四隅にそれぞれ設けられて鏡板１８の端面及び保持部材１９のＬ字の一辺２０との間に配置されている。２６は第三種緩衝材で、鏡板１８の四隅にそれぞれ設けられて鏡板１８の端面及び保持部材１９の屈折部２２との間に配置されている。２７は第一種締結具で、頭付きねじからなり上記両者のＬ字の他辺２１に挿通されて保持部材１９のＬ字の一辺２０にねじ込まれ、また上記双者のＬ字の他辺２１に挿通されて保持部材１９の屈折部２２にねじ込まれている。
【００１３】
２８は取付部材で、横断面Ｌ字形をなし上記双者に対応してそれぞれ設けられて枠１２内に配置され、長手が上記双者の長手に沿って配置されＬ字の一辺２９が上記双者それぞれのＬ字の他辺２１に重合して配置され、Ｌ字の他辺３０が取付体１０に重合して配置されている。３１は第二種締結具で、頭付きねじからなり上記双者それぞれのＬ字の他辺２１に挿通されて取付部材２８のＬ字の一辺２９にねじ込まれている。３２は第三種締結具で、頭付きねじからなり取付部材２８のＬ字の他辺３０に挿通されて対面した取付体１０にねじ込まれている。
【００１４】
上記のように構成された鏡取付装置において、上部材１４、下部材１５、左部材１６及び右部材１７の長手端が相互に連結されロ字状に組立てられて枠１２が製作される。そして、鏡板１８が枠１２の裏面側に嵌合されて枠１２の構成部材のＬ字の一辺１３の裏面に接して配置される。また、保持部材１９が左部材１６及び右部材１７の両者に対応してそれぞれ設けられて枠１２内に配置され、長手が上記両者の長手に沿って配置される。
【００１５】
次いで、鏡板１８の四隅にそれぞれ第一種緩衝材２３、第二種緩衝材２５及び第三種緩衝材が配置される。そして、第一種締結具２７が上記両者のＬ字の他辺２１に挿通されて保持部材１９のＬ字の一辺２０にねじ込まれる。また、上部材１４及び下部材１５の双者のＬ字の他辺２１に挿通されて保持部材１９の屈折部２２にねじ込まれて鏡１１が組立てられる。
【００１６】
そして、取付部材２８が長手が水平に配置されて上下方向に互いに離れて配置され、かつＬ字の他辺３０が取付体１０面に重合して配置される。次いで、第三種締結具３２がＬ字の他辺３０に挿通されて取付体１０にねじ込まれて取付部材２８が取付体１０に装着される。
【００１７】
この状態すなわち図６に示す状態において、組立られた鏡１１の上部材１４及び下部材１５の双者のＬ字の他辺２１の内側が、図７に示す状況を経て取付部材２８のＬ字の一辺２９の外側に嵌合される。そして、第二種締結具３１が上記双者それぞれのＬ字の他辺２１に挿通されて取付部材２８のＬ字の一辺２９にねじ込まれて図８に示すように取付部材２８を介して鏡１１が取付体１０に装着される。
【００１８】
以上説明したように、前述の図９及び図１０に示す構成のように鏡板１８を、予め樹脂枠板３に貼着固定しておく必要がなく、簡易な作業によって鏡１１を組立てることができ生産性を向上することができる。また、鏡板１８の左右の縁部が枠１２の左部材１６及び右部材１７によって覆われるので、美観が損なわれることがない。さらに、鏡板１８が枠１２に組み込まれた状態で工場から据付現場へ出荷されるので、据付現場における作業が減少し据付作業能率を向上することができる。
【００１９】
【発明の効果】
この発明は以上説明したように、横断面Ｌ字形をなしＬ字の一辺により表面を形成した上部材、下部材、左部材及び右部材がロ字状に組立てられてなる枠と、この枠に嵌合されて枠のＬ字の一辺の裏面に配置された鏡板と、横断面Ｌ字形をなし左部材及び右部材の両者に対応してそれぞれ設けられて枠内に配置され、長手が上記両者の長手に沿って配置されＬ字の一辺が上記両者それぞれのＬ字の他辺に重合し、Ｌ字の他辺における長手端の屈折部が上部材及び下部材の双者の他辺に重合して配置された保持部材と、鏡板の裏面の四隅にそれぞれ設けられて鏡板及び保持部材の間に配置された第一種緩衝材と、鏡板の四隅にそれぞれ設けられて鏡板の端面及び保持部材のＬ字の一辺との間に配置された第二種緩衝材と、鏡板の四隅にそれぞれ設けられて鏡板の端面及び保持部材の屈折部との間に配置された第三種緩衝材と、上記両者のＬ字の他辺に挿通されて保持部材のＬ字の一辺及び上記双者のＬ字の他辺に挿通されて保持部材の屈折部にそれぞれねじ込まれた第一種締結具と、横断面Ｌ字形をなし上記双者に対応してそれぞれ設けられて枠内に配置され、長手が上記双者の長手に沿って配置されＬ字の一辺が上記双者それぞれのＬ字の他辺に重合して配置された取付部材と、上記双者それぞれのＬ字の他辺に挿通されて取付部材のＬ字の一辺にねじ込まれた第二種締結具と、取付部材のＬ字の他辺に挿通されて取付部材のＬ字の他辺に対面した取付体にねじ込まれた第三種締結具とを設けたものである。
【００２０】
これによって、鏡板を予め台板等に貼着固定しておく必要がなく、簡易な作業によって鏡を組立てることができ生産性を向上する効果がある。また、鏡板の左右の縁部が枠の左部材及び右部材によって覆われるので、美観を向上する効果がある。さらに、鏡板が枠に組み込まれた状態で工場から据付現場へ出荷されるので、据付現場における作業が減少し据付作業能率を向上する効果がある。
【図面の簡単な説明】
【図１】この発明の実施の形態１を示す図で、エレベーターかごの横断平面を概念的に示す図。
【図２】図１のかごにおける奥側壁面の立面図。
【図３】図２の鏡の拡大図。
【図４】図３のＡ−Ａ線断面拡大図。
【図５】図３のＢ−Ｂ線断面拡大図。
【図６】図２の取付部材箇所を示す図。
【図７】図１の鏡の取付作業状況を示す図２の縦断側面図。
【図８】図２の縦断側面図。
【図９】従来の鏡取付装置を示す図で、図１は鏡取付装置を分解して示す斜視図。
【図１０】図９の補強フレームの取付状態を示す斜視図。
【符号の説明】
１０　取付体、　　１２　枠、　　１３　枠の構成部材のＬ字の一辺、　　１４　上部材、　　１５　下部材、　　１６　左部材、　　１７　右部材、　　１８　鏡板、　１９　保持部材、　　２０　保持部材のＬ字の一辺、　　２１　枠の構成部材のＬ字の他辺、　　２２　保持部材の屈折部、　　２３　第一種緩衝材、　　２４　保持部材のＬ字の他辺、　　２５　第二種緩衝材、　　２６　第三種緩衝材、　　２７　第一種締結具、　　２８　取付部材、　　２９　取付部材のＬ字の一辺、　　３０　取付部材のＬ字の他辺、　　３１　第二種締結具、
３２　第三種締結具。
【図１】
2004113534.tif 000003
【図２】
2004113534.tif 000004
【図３】
2004113534.tif 000005
【図４】
2004113534.tif 000006
【図５】
2004113534.tif 000007
【図６】
2004113534.tif 000008
【図７】
2004113534.tif 000009
【図８】
2004113534.tif 000010
【図９】
2004113534.tif 000011
【図１０】
2004113534.tif 000012